(57)【要約】【課題】  ＤＶＤプレーヤで再生されるＤＶＤディスク又はコンテンツに応じて、ユーザ操作を要することなく、ＡＶアンプの設定を自動的に実行すること。【解決手段】  ＤＶＤプレーヤは、外部から挿入可能なＤＶＤディスクに記録されているコンテンツを再生する再生手段と、ＤＶＤディスクの特定情報に対応付けてＡＶアンプの設定情報を記憶するディスク情報テーブルと、ＤＶＤプレーヤに挿入されたＤＶＤディスクの特定情報に対応付けられた設定情報をディスク情報テーブルから読み出して、ＡＶアンプに送信する設定情報送信手段とを有する。ＡＶアンプは、設定情報を受信する設定情報受信手段と、受信した設定情報に基づいてＡＶアンプの設定を実行する設定実行手段とを有する。【選択図】図３
2011030037.tif 000002
【特許請求の範囲】
【請求項１】
コンテンツを再生するコンテンツ再生装置と、前記コンテンツ再生装置からコンテンツを受信するコンテンツ受信装置とを備え、
前記コンテンツ再生装置が、
外部から前記コンテンツ再生装置に挿入可能な記憶媒体に記録されているコンテンツを再生する再生手段と、
前記記憶媒体の特定情報に対応付けて前記コンテンツ受信装置の設定情報を記憶する設定情報記憶手段と、
前記コンテンツ再生装置に挿入された前記記憶媒体の特定情報に対応付けられた設定情報を前記設定情報記憶手段から読み出して、前記コンテンツ受信装置に送信する設定情報送信手段とを有し、
前記コンテンツ受信装置が、
前記設定情報を受信する設定情報受信手段と、
受信した設定情報に基づいて前記コンテンツ受信装置の設定を実行する設定実行手段とを有する、コンテンツ送受信システム。
【請求項２】
コンテンツを再生するコンテンツ再生装置と、前記コンテンツ再生装置からコンテンツを受信するコンテンツ受信装置とを備え、
前記コンテンツ再生装置が、
コンテンツを再生する再生手段と、
コンテンツに対応付けて前記コンテンツ受信装置の設定情報を記憶する設定情報記憶手段と、
前記再生手段によって再生されるコンテンツに対応付けられた設定情報を前記設定情報記憶手段から読み出して、前記コンテンツ受信装置に送信する設定情報送信手段とを有し、
前記コンテンツ受信装置が、
前記設定情報を受信する設定情報受信手段と、
受信した設定情報に基づいて前記コンテンツ受信装置の設定を実行する設定実行手段とを有する、コンテンツ送受信システム。
【請求項３】
前記設定情報記憶手段が、前記コンテンツの再生位置情報に対応付けて前記コンテンツ受信装置の設定情報を記憶し、
前記設定情報送信手段が、前記再生手段によって再生されるコンテンツの再生位置情報に対応付けられた設定情報を前記設定情報記憶手段から読み出して、前記コンテンツ受信装置に送信する、請求項１または２に記載のコンテンツ送受信システム。
【請求項４】
前記設定実行手段が、ユーザ操作によって前記コンテンツ受信装置に入力された設定情報に基づいて前記コンテンツ受信装置の設定をさらに実行し、
前記コンテンツ受信装置が、ユーザ操作によって前記コンテンツ受信装置に入力された設定情報を前記コンテンツ再生装置に送信する第２設定情報送信手段をさらに有し、
前記コンテンツ再生装置が、前記設定情報を受信する第２設定情報受信手段と、
受信した設定情報を前記設定情報記憶手段に登録する設定情報登録手段とをさらに有する、請求項１〜３のいずれかに記載のコンテンツ送受信システム。
【請求項５】
請求項１〜４のいずれかに記載のコンテンツ送受信システムに適用される、前記コンテンツ再生装置。
【請求項６】
請求項１〜４のいずれかに記載のコンテンツ送受信システムに適用される、前記コンテンツ受信装置。
【発明の詳細な説明】
【技術分野】
【０００１】
本発明は、コンテンツ再生装置及びコンテンツ受信装置を備えるコンテンツ送受信システムに関する。
【背景技術】
【０００２】
ＤＶＤプレーヤと、ＡＶアンプと、ディスプレイ装置とを備えるコンテンツ送受信システムが利用されている。ＤＶＤプレーヤは、ＤＶＤディスクに記録されているコンテンツデータを再生し、ＡＶアンプに送信する。ＡＶアンプは、コンテンツデータに含まれる音声データに音声処理を実行し、スピーカーから音声を出力する。ＡＶアンプは、映像データをディスプレイ装置に送信する。ディスプレイ装置は、ＡＶアンプから供給された映像データに映像処理を実行し、表示する。
【０００３】
ＡＶアンプには複数の音声モード（例えばリスニングモード、サラウンドモードと呼ばれており、映画モード、ゲームモード、音楽モード等）が設けられており、ユーザ操作によって１つの音声モードが選択可能になっている。ＡＶアンプは、選択された音声モードに対して予め設定されている音声処理（遅延処理、音量調整処理、イコライザ処理等）を音声データに対して実行する。
【０００４】
ディスプレイ装置には複数の映像モード（例えば、映画モード、ゲームモード、スポーツモード等）が設けられており、ユーザ操作によって１つの映像モードが選択可能になっている。ディスプレイ装置は、選択された映像モードに対して予め設定されている各値（明るさ、色合い、解像度等）に映像データを調整する。
【０００５】
上記システムにおいては、ＤＶＤプレーヤで再生するＤＶＤディスクやコンテンツデータに応じて、ユーザ操作によってＡＶアンプの音声モードを選択すると共に、ユーザ操作によってディスプレイ装置の映像モードを選択する必要があり、非常に煩雑であるという問題がある。また、ＤＶＤプレーヤで再生するＤＶＤディスクやコンテンツデータに応じて、ユーザ操作によってＡＶアンプの音量や画質（明るさ、色合い、解像度等）を調整する必要があり、その作業が非常に煩雑である。
【先行技術文献】
【特許文献】
【０００６】
【特許文献１】特開平７−１２３３３９号公報
【発明の概要】
【発明が解決しようとする課題】
【０００７】
本発明は上記従来の課題を解決するためになされたものであり、その目的は、コンテンツ再生装置で再生される記憶媒体又はコンテンツに応じて、ユーザ操作を要することなく、コンテンツ受信装置の設定を自動的に実行することができるコンテンツ送受信システムを提供することである。
【課題を解決するための手段】
【０００８】
本発明の好ましい実施形態によるコンテンツ送受信システムは、コンテンツを再生するコンテンツ再生装置と、前記コンテンツ再生装置からコンテンツを受信するコンテンツ受信装置とを備え、前記コンテンツ再生装置が、外部から前記コンテンツ再生装置に挿入可能な記憶媒体に記録されているコンテンツを再生する再生手段と、前記記憶媒体の特定情報に対応付けて前記コンテンツ受信装置の設定情報を記憶する設定情報記憶手段と、前記コンテンツ再生装置に挿入された前記記憶媒体の特定情報に対応付けられた設定情報を前記設定情報記憶手段から読み出して、前記コンテンツ受信装置に送信する設定情報送信手段とを有し、前記コンテンツ受信装置が、前記設定情報を受信する設定情報受信手段と、受信した設定情報に基づいて前記コンテンツ受信装置の設定を実行する設定実行手段とを有する。
【０００９】
コンテンツ再生装置に記憶媒体が挿入されると、コンテンツ再生装置は、記憶媒体に対応付けられている設定情報を読み出して、コンテンツ受信装置に送信する。コンテンツ受信装置は、設定情報を受信すると、設定情報に基づいて設定を実行する。従って、ユーザ操作を要することなく、コンテンツ再生装置に記憶媒体を挿入する毎に、コンテンツ受信装置は、記憶媒体に対応した設定を自動的に実行することができる。
【００１０】
本発明の別の好ましい実施形態によるコンテンツ送受信システムは、コンテンツを再生するコンテンツ再生装置と、前記コンテンツ再生装置からコンテンツを受信するコンテンツ受信装置とを備え、前記コンテンツ再生装置が、コンテンツを再生する再生手段と、コンテンツに対応付けて前記コンテンツ受信装置の設定情報を記憶する設定情報記憶手段と、前記再生手段によって再生されるコンテンツに対応付けられた設定情報を前記設定情報記憶手段から読み出して、前記コンテンツ受信装置に送信する設定情報送信手段とを有し、前記コンテンツ受信装置が、前記設定情報を受信する設定情報受信手段と、受信した設定情報に基づいて前記コンテンツ受信装置の設定を実行する設定実行手段とを有する。
【００１１】
コンテンツ再生装置は、再生するコンテンツに対応付けられている設定情報を読み出して、コンテンツ受信装置に送信する。コンテンツ受信装置は、設定情報を受信すると、設定情報に基づいて設定を実行する。従って、ユーザ操作を要することなく、コンテンツ再生装置がコンテンツを再生する毎に、コンテンツ受信装置は、記憶媒体に対応した設定を自動的に実行することができる。コンテンツは、特に限定されないが、外部からコンテンツ再生装置に挿入される記憶媒体に記録されたコンテンツ、コンテンツ再生装置に内蔵された記憶媒体に記録されたコンテンツ、ネットワークを介してサーバから受信したコンテンツ等である。
【００１２】
好ましい実施形態においては、前記設定情報記憶手段が、前記コンテンツの再生位置情報に対応付けて前記コンテンツ受信装置の設定情報を記憶し、前記設定情報送信手段が、前記再生手段によって再生されるコンテンツの再生位置情報に対応付けられた設定情報を前記設定情報記憶手段から読み出して、前記コンテンツ受信装置に送信する。
【００１３】
この場合、１つのコンテンツを再生する場合であっても、コンテンツの再生位置に応じて、自動的にコンテンツ受信装置の設定を変更することができる。コンテンツの再生位置情報は、特に限定されないが、再生時間、アドレス、チャプター、トラック等である。
【００１４】
好ましい実施形態においては、前記設定実行手段が、ユーザ操作によって前記コンテンツ受信装置に入力された設定情報に基づいて前記コンテンツ受信装置の設定をさらに実行し、前記コンテンツ受信装置が、ユーザ操作によって前記コンテンツ受信装置に入力された設定情報を前記コンテンツ再生装置に送信する第２設定情報送信手段をさらに有し、前記コンテンツ再生装置が、前記設定情報を受信する第２設定情報受信手段と、受信した設定情報を前記設定情報記憶手段に登録する設定情報登録手段とをさらに有する。
【００１５】
この場合、ユーザ操作によってコンテンツ受信装置に設定情報が入力されて、コンテンツ受信装置が設定を実行する場合に、当該設定情報がコンテンツ再生装置に送信され。コンテンツ再生装置は、受信した設定情報を設定情報記憶手段に登録する。従って、設定情報記憶手段に設定情報を登録するために、ユーザ操作によって別途コンテンツ再生装置に設定情報を入力する必要がない。
【発明の効果】
【００１６】
コンテンツ再生装置で再生される記憶媒体又はコンテンツに応じて、ユーザ操作を要することなく、コンテンツ受信装置の設定を自動的に実行することができる。
【発明を実施するための形態】
【００１７】
以下、本発明の好ましい実施形態によるＤＶＤプレーヤ（コンテンツ再生装置）、ＡＶアンプ（コンテンツ受信装置）及びディスプレイ装置（コンテンツ受信装置）を備えるコンテンツ送受信システムついて、図面を参照して具体的に説明するが、本発明はこれらの実施形態には限定されない。本例において、コンテンツは、映像（画像も含む、以下同様。）データおよび／または音声データ等である。コンテンツは、本例ではＤＶＤディスク、ＣＤディスク、フラッシュメモリ等の外部からＤＶＤプレーヤに挿入可能な記憶媒体に記録されたコンテンツである。しかし、これに限定されず、コンテンツ再生装置に内蔵された記憶媒体に記録されたコンテンツや、サーバからネットワーク経由で受信したコンテンツ等でもよい。１つのコンテンツとは、１つの映像ファイル、１つの曲ファイルを指す場合や、ファイルサイズが大きな映像ファイルの場合には１つのチャプターを指す場合がある。また、１つのコンテンツとは、ＣＤに記録された音楽データの場合には、１つのトラックを指す場合がある。
【００１８】
図１は、ＤＶＤプレーヤ１０、ＡＶアンプ２０及びディスプレイ装置４０を示すブロック図である。ＤＶＤプレーヤ１０、ＡＶアンプ２０及びディスプレイ装置４０は、例えばＨＤＭＩ規格に準拠しており、ＨＤＭＩケーブルを介して相互に接続されている。
【００１９】
［ＤＶＤプレーヤ１０の構成］
ＤＶＤプレーヤ１０は、再生部１１と、ＨＤＭＩ送信部１２と、制御部１３と、操作部１４と、表示部１５と、メモリ１６と、コネクタ部１７とを有している。
【００２０】
再生部１１は、例えばＤＶＤディスクが挿入された時、ＤＶＤディスクに記録されている映像データ及び音声データを読み出して、デコードし、ＨＤＭＩ送信部１２に供給する。また、再生部１１は、ＣＤディスクが挿入された時、ＣＤディスクに記録されている音声データを読み出して、デコードし、ＨＤＭＩ送信部１２に供給する。再生部１１は、ＤＶＤディスクやＣＤディスクが挿入された時、ディスク情報を読み出して、制御部１３に供給する。ディスク情報は、例えば、ＴＯＣ情報等であり、ディスクを特定するためのディスク特定情報と、チャプター（又はトラック）及び再生時間に関する情報等を含む。
【００２１】
ＨＤＭＩ送信部１２は、再生部１１から供給された映像データ及び／又は音声データを、制御部１３からのコマンドにより、ＨＤＭＩ規格のデータ（以下、ＨＤＭＩデータという。）に変換する。ＨＤＭＩ送信部１２は、ＨＤＭＩデータを、コネクタ部１７を介してＡＶアンプ２０に送信する。
【００２２】
制御部１３は、メモリ１６に格納されているＤＶＤプレーヤの動作プログラムに基づいて、ＤＶＤプレーヤ１０の各部を制御するものであり、例えば、マイコンやＣＰＵ等である。制御部１３は、操作部１４からの操作入力または各部からの制御信号およびデータに基づいて各種処理を実行する。
【００２３】
制御部１３は、ＨＤＭＩのＣＥＣラインを介してＡＶアンプ２０の制御部２５に接続され、制御部２５とコマンドおよび／またはデータを送受信する。制御部１３は、再生部１１から供給されたディスク情報に基づいて、ＡＶアンプ２０及び／又はディスプレイ装置４０の設定情報を後述するディスク情報テーブルから読み出して、ＡＶアンプ２０及び／又はディスプレイ装置４０にＣＥＣラインを介して送信する。これにより、制御部１３は、ＡＶアンプ２０及び／又はディスプレイ装置４０にユーザ操作を要することなく設定処理を実行させることができる。
【００２４】
メモリ１６には、図２に示すディスク情報テーブルが格納されている。ディスク情報テーブルは、ディスク特定情報に対応付けて、ＡＶアンプ２０及び／又はディスプレイ装置４０の設定情報が記憶されている。ディスク情報テーブル内の設定情報は、ＤＶＤプレーヤ１０の操作部１４をユーザが操作することによって登録されてもよい。しかし、本例では、ＡＶアンプ２０又はディスプレイ装置４０を設定するためにユーザ操作によって設定情報がＡＶアンプ２０又はディスプレイ装置４０に入力された際に、ＡＶアンプ２０又はディスプレイ装置４０からＤＶＤプレーヤ１０に設定情報が送信され、当該設定情報がディスク情報テーブルに自動的に登録される。図２において、音声モード（リスニングモード又はサラウンドモード）、音量及び画質（明るさ、色合い、解像度等）はＡＶアンプ２０に対する設定情報であり、映像モードはディスプレイ装置４０に対する設定情報である。
【００２５】
［ＡＶアンプの構成］
ＡＶアンプ２０は、ＨＤＭＩ受信部２１と、画像処理部２２と、ＨＤＭＩ送信部２３と、音声処理部２４と、制御部２５と、操作部２６と、表示部２７と、メモリ２８と、コネクタ部２９、３０とを有している。
【００２６】
ＨＤＭＩ受信部２１は、ＤＶＤプレーヤ１０から送信されたＨＤＭＩデータを受信し、受信したＨＤＭＩデータから元の映像データ（ＨＤＭＩ変換前の映像データ）を生成し、画像処理部２２に供給する。また、ＨＤＭＩ受信部２１は、受信したＨＤＭＩデータから元の音声データを生成し、音声処理部２４に供給する。
【００２７】
画像処理部２２は、ＨＤＭＩ受信部２１から供給された映像データに画像処理（明るさ及び色合い等の調整、解像度変換等）を実行し、ＨＤＭＩ送信部２３に供給する。明るさ、色合い、解像度等の画質は、ユーザ操作によって設定可能であり、かつ、ＤＶＤプレーヤ１０から送信された設定情報に基づいて設定することができる。
【００２８】
ＨＤＭＩ送信部２３は、画像処理部２２から供給された映像データをＨＤＭＩデータに変換する。ＨＤＭＩ送信部２３は、コネクタ部３０を介してディスプレイ装置４０にＨＤＭＩデータを送信する。
【００２９】
音声処理部２４は、ＨＤＭＩ受信部２１から供給された音声データに対して、例えば、信号処理、遅延処理、イコライザ処理、音量調整処理、増幅処理、ＤＡ変換等の音声処理を実行し、外部に接続されたスピーカー６０に音声信号を供給する。
【００３０】
ＡＶアンプ２０には複数の音声モード（例えば、音声モード１〜音声モード５）が設けられており、ユーザ操作によって１つの音声モードが選択され、設定される。また、ＤＶＤプレーヤ１０から送信された設定情報に基づいて、音声モードが自動的に設定される。音声処理部２４は、選択された音声モードに対して予め設定されている音声処理を音声データに対して実行する。
【００３１】
制御部２５は、メモリ２８に記憶されているＡＶアンプの動作プログラムに基づいて、ＡＶアンプ２０の各部を制御するものであり、例えば、マイコンやＣＰＵ等である。制御部２５は、操作部２６からの操作入力または各部からの制御信号およびデータに基づいて各種処理を実行する。
【００３２】
制御部２５は、ＣＥＣラインを介してＤＶＤプレーヤ１０の制御部１３に接続され、制御部１３とコマンドおよびデータを送受信する。また、制御部２５は、ＣＥＣラインを介してディスプレイ装置４０の制御部４４に接続され、制御部４４とコマンドおよびデータを送受信する。
【００３３】
制御部２５は、ユーザ操作によって設定情報（音声モード、音量等）が入力されたとき、又は、ＤＶＤプレーヤ１０の制御部１３から設定情報（音声モード、音量等）を受信したとき、当該音声モード又は音量に設定する（設定するとは音声モード又は音量をメモリ２８に記憶しておくことをいう。）。制御部２５は、設定された音声モード又は音量に基づいて、音声データに音声処理を実行するよう音声処理部２４を制御する。
【００３４】
制御部２５は、ユーザ操作によって設定情報（画質等）が入力されたとき、又は、ＤＶＤプレーヤ１０の制御部１３から設定情報（画質等）を受信したとき、当該画質に設定する。制御部２５は、設定された画質に基づいて、映像データに画像処理を実行するよう画像処理部２２を制御する。
【００３５】
ＡＶアンプ２０は、その動作状態として、ユーザ操作によって設定情報が入力され、音声モード、音量、画質等の設定が実行されるとき、ユーザ操作によって入力された設定情報をＤＶＤプレーヤ１０に送信し、ディスク情報テーブルに自動的に登録する設定情報登録モードを有する。設定情報登録モードに設定されている時、ユーザ操作によって設定情報が入力され、設定が実行されると、制御部２５は、ＣＥＣラインを介してＤＶＤプレーヤ１０の制御部１３に当該設定情報を送信する。
【００３６】
制御部２５は、設定情報を受信したとき、ディスプレイ装置４０に対応する設定情報（映像モード等）が含まれているか否かを判断する。ディスプレイ装置４０に対応する設定情報（映像モード等）が含まれている場合、制御部２５は、ディスプレイ装置４０に対応する設定情報（映像モード等）をディスプレイ装置４０に送信する。ディスプレイ装置４０を設定情報に基づいて自動的に設定を実行させるためである。
【００３７】
［ディスプレイ装置４０の構成］
ディスプレイ装置４０は、ＨＤＭＩ受信部４１と、映像処理部４２と、表示部４３と、制御部４４と、操作部４５と、メモリ４６と、コネクタ部４７とを有している。
【００３８】
ＨＤＭＩ受信部４１は、ＡＶアンプ２０のＨＤＭＩ送信部２３から送信されたＨＤＭＩデータを受信して、ＨＤＭＩデータから元の映像データを生成し、映像処理部４２に供給する。
【００３９】
映像処理部４２は、ＨＤＭＩ受信部４１から供給された映像データに映像処理を実行し、表示部４３に映像を表示させる。例えば、映像処理部４２は、映像データの明るさ及び色合い等を調整し、解像度変換等を実行する。ディスプレイ装置には複数の映像モード（例えば、映像モード１〜映像モード５）が設けられており、ユーザ操作によって１つの映像モードが選択され、設定される。または、ＤＶＤプレーヤ１０から送信された設定情報に含まれている映像モードに自動的に設定される。映像処理部４２は、選択された映像モードに対して予め設定されている各値（明るさ、色合い、解像度等）に映像データを調整する。
【００４０】
表示部４３は、映像処理部４２から映像データが供給され、当該映像データに基づいて映像を表示するものであり、例えば、ＬＣＤまたはＰＤＰ等である。
【００４１】
制御部４４は、メモリ４６に格納されたディスプレイ装置の動作プログラムに基づいて、ディスプレイ装置の各部を制御するものであり、例えば、マイコンやＣＰＵ等である。制御部４４は、操作部４５からの操作入力または各部からの制御信号およびデータに基づいて各種処理を実行する。
【００４２】
制御部４４は、ユーザ操作によって映像モードが選択されたとき、又は、ＡＶアンプ２０の制御部２５から設定情報（映像モード）を受信したとき、当該映像モードに設定する（設定とは選択された映像モードをメモリ４６に記憶することをいう。）。制御部４４は、設定された映像モードに基づいて、映像データに映像処理を実行するよう映像処理部４２を制御する。
【００４３】
ディスプレイ装置４０は、その動作状態として、ユーザ操作によって設定情報（映像モード等）が入力され、設定を実行するとき、ユーザ操作によって入力された設定情報を（ＡＶアンプ２０を介して）ＤＶＤプレーヤ１０に送信し、ディスク情報テーブルに自動的に登録するための設定情報登録モードを有する。設定情報登録モードに設定されている時、ユーザ操作によって設定情報が入力されて、設定が実行されると、制御部４４は、ＣＥＣラインを介して（ＡＶアンプ２０を介して）ＤＶＤプレーヤ１０の制御部１３にユーザ操作によって入力された設定情報を送信する。
【００４４】
［コンテンツ送受信システムの動作］
ＤＶＤプレーヤ１０の再生部１１は、ＤＶＤディスクが挿入されると、ＤＶＤディスクからディスク情報を読み出して、制御部１３に供給する。図３に示すように、制御部１３は、ディスク情報を取得し（Ｓ１）、ディスク情報に含まれるディスク特定情報に基づいてディスクを特定する（Ｓ２）。制御部１３は、挿入されているディスクのディスク特定情報がディスク情報テーブルに登録されているか否かを判断する（Ｓ３）。登録されていなければ（Ｓ３でＮＯ）、自動設定はできないので、処理を終了する。登録されていれば（Ｓ３でＹＥＳ）、制御部１３は、挿入されているディスクのディスク特定情報に対応する設定情報をディスク情報テーブルから読み出して、ＡＶアンプ２０の制御部２５にＣＥＣラインを介して送信する（Ｓ４）。例えば、挿入されたディスクがディスク１である場合、図２を参照し、制御部１３は、音声モード１、映像モード２等を含む設定情報を制御部２５に送信する。
【００４５】
図４に示すように、ＡＶアンプ２０の制御部２５は、ＣＥＣラインを介して、ＤＶＤプレーヤ１０の制御部１３から設定情報を受信したか否かを判断している（Ｓ１０１）。設定情報を受信したとき（Ｓ１０１でＹＥＳ）、制御部２５は、受信した設定情報に基づいて設定を実行する（Ｓ１０２）。設定情報に音声モード、音量、画質が含まれている場合、制御部２５は、音声モード、音量、画質を設定情報に含まれている音声モード、音量、画質に設定する。例えば、設定情報に音声モード１が含まれている場合、制御部２５は、音声モードを音声モード１に設定する。このように、ユーザ操作によって設定情報が入力される必要なく、ＡＶアンプ２０は、ＤＶＤプレーヤ１０に挿入されたディスクに応じて、自動的に設定することができる。
【００４６】
制御部２５は、受信した設定情報にディスプレイ装置４０に対応する設定情報（例えば映像モード等）が含まれているか否かを判断する（Ｓ１０３）。含まれていなければ（Ｓ１０３でＮＯ）、Ｓ１０１に戻る。含まれている場合（Ｓ１０３でＹＥＳ）、制御部２５は、ディスプレイ装置４０に対応する設定情報（映像モード等）を、ＣＥＣラインを介して、ディスプレイ装置４０の制御部４４に送信する（Ｓ１０４）。
【００４７】
図５に示すように、ディスプレイ装置４０の制御部４４は、ＡＶアンプ２０の制御部２５から設定情報を受信したか否かを判断している（Ｓ２０１）。設定情報を受信した場合（Ｓ２０１でＹＥＳ）、制御部４４は、受信した設定情報に基づいて設定を実行する（Ｓ２０２）。設定情報に映像モードが含まれている場合、制御部４４は、映像モードを設定情報に含まれている映像モードに設定する。例えば、設定情報に映像モード２が含まれている場合、制御部４４は、映像モードを映像モード２に設定する。このように、ユーザ操作によって設定情報が入力される必要なく、ＤＶＤプレーヤ１０に挿入されたディスクに応じて、ディスプレイ装置４０は、自動的に設定を実行することができる。
【００４８】
図６に示すように、ＡＶアンプ２０の制御部２５は、ユーザ操作によって設定情報（音声モード、音量、画質等）が入力されたか否かを判断する（Ｓ１１１）。ユーザ操作によって設定情報が入力された場合（Ｓ１１１でＹＥＳ）、制御部２５は、ユーザ操作によって入力された設定情報に基づいて設定を実行する（Ｓ１１２）。例えば、音声モードを音声モード２に設定する指示が入力された場合、音声モードを音声モード２に設定する。次に、制御部２５は、設定情報登録モードに設定されているか否かを判断する（Ｓ１１３）。設定情報登録モードに設定されていなければ（Ｓ１１３でＮＯ）、Ｓ１１１に戻る。設定情報登録モードに設定されている場合（Ｓ１１３でＹＥＳ）、制御部２５は、ユーザ操作によって入力された設定情報を、ＣＥＣラインを介して、ＤＶＤプレーヤ１０の制御部１３に送信する（Ｓ１１４）。
【００４９】
図７に示すように、ディスプレイ装置４０の制御部４４は、ユーザ操作によって設定情報（映像モード等）が入力されたか否かを判断する（Ｓ２１１）。ユーザ操作によって設定情報が入力された場合（Ｓ２１１でＹＥＳ）、制御部４４は、ユーザ操作によって入力された設定情報に基づいて設定を実行する（Ｓ２１２）。例えば、映像モードを映像モード３に設定する指示が入力された場合、映像モードを映像モード３に設定する。次に、制御部４４は、設定情報登録モードに設定されているか否かを判断する（Ｓ２１３）。設定情報登録モードに設定されていない場合（Ｓ２１３でＮＯ）、Ｓ２１１に戻る。設定情報登録モードに設定されている場合（Ｓ２１３でＹＥＳ）、制御部４４は、ユーザ操作によって入力された設定情報を、ＣＥＣラインを介して、ＡＶアンプ２０の制御部２５に送信する（Ｓ２１４）。
【００５０】
図８に示すように、ＡＶアンプ２０の制御部２５は、ＣＥＣラインを介して、ディスプレイ装置４０の制御部４４から設定情報を受信したか否かを判断している（Ｓ１２１）。設定情報を受信した場合（Ｓ１２１でＹＥＳ）、制御部２５は、ＣＥＣラインを介して、ＤＶＤプレーヤ１０の制御部１３に設定情報を送信する（Ｓ１２２）。
【００５１】
図９に示すように、ＤＶＤプレーヤ１０の制御部１３は、ＣＥＣラインを介して、ＡＶアンプ２０の制御部２５から設定情報（音声モード、音量、画質または映像モード）を受信したか否かを判断している（Ｓ１１）。設定情報を受信した場合（Ｓ１１でＹＥＳ）、制御部１３は、ディスク情報テーブルに、現在挿入されているディスクのディスク特定情報に対応付けて、設定情報を登録する。例えば、ディスク１が挿入されているときに、音声モード２を含む設定情報を受信した場合、ディスク情報テーブルにおけるディスク１の音声モードに、音声モード２を登録する。従って、ユーザ操作によってＤＶＤプレーヤ１０に設定情報を入力する必要なく、ＡＶアンプ２０又はディスプレイ装置４０に設定情報を入力し設定を実行することにより、自動的にディスク情報テーブルに設定情報を登録することができる。
【００５２】
［別の実施形態１］
本例では、図１０に示すディスク情報テーブルがＤＶＤプレーヤ１０のメモリ１６に格納されている。図１０のディスク情報テーブルは、ディスク特定情報及びチャプター（又は、ＣＤディスクの場合はトラック、以下同様。）に対応付けて設定情報が登録される。つまり、同一ディスクが挿入されていても、再生するチャプターが変更されると、自動的にＡＶアンプ２０、ディスプレイ装置４０に再生するチャプターに対応する設定情報を送信し、自動的に設定を実行させることができる。
【００５３】
ＤＶＤプレーヤ１０の再生部１１は、ディスクが挿入されるとディスクからディスク情報を読み出して、制御部１３に供給する。図１１に示すように、制御部１３は、ディスク情報を取得し（Ｓ３１）、ディスク情報に含まれるディスク特定情報に基づいてディスクを特定する（Ｓ３２）。制御部２３は、挿入されているディスクのディスク特定情報がディスク情報テーブルに登録されているか否かを判断する（Ｓ３３）。登録されていなければ（Ｓ３３でＮＯ）、処理を終了する。登録されていれば（Ｓ３３でＹＥＳ）、制御部１３は、挿入されているディスクのディスク特定情報、及び、最初のチャプター（チャプター１）に対応する設定情報をディスク情報テーブルから読み出し、ＡＶアンプ２０の制御部２５にＣＥＣラインを介して送信する（Ｓ３４）。例えば、挿入されたディスクがディスク１である場合、制御部１３は、ディスク１のチャプター１に対応する音声モード１、映像モード２等を含む設定情報を制御部２５に送信する。
【００５４】
ＡＶアンプ２０の制御部２５及びディスプレイ装置４０の制御部４４は、上記の実施形態と同様に、ＤＶＤプレーヤ１０から設定情報を受信すると、設定情報に基づいて自動的に設定を実行する（図４，図５参照。）。
【００５５】
図１１に示すように、ＤＶＤプレーヤ１０の制御部１３は、チャプター１の再生が終了する、又は、ユーザ操作によって他のチャプターが選択される等の理由で、再生するチャプターが変更されるか否かを判断する（Ｓ３５）。再生するチャプターが変更される場合（Ｓ３５でＹＥＳ）、変更後のチャプターに対応する設定情報をディスク情報テーブルから読み出し、ＡＶアンプ２０の制御部２５にＣＥＣラインを介して送信する（Ｓ３６）。例えば、挿入されたディスクがディスク１であり、再生されるチャプターがチャプター２に変更される場合、制御部１３は、ディスク１のチャプター２に対応する音声モード２、映像モード４等を含む設定情報を制御部２５に送信する。
【００５６】
ＡＶアンプ２０の制御部２５およびディスプレイ装置４０の制御部４４は、上記の実施形態と同様に、ＤＶＤプレーヤ１０から設定情報を受信すると、設定情報に基づいて自動的に設定を変更する（図４，図５参照。）。このように、ＤＶＤプレーヤ１０で再生されるチャプターが変更される毎に、ユーザ操作を要することなく、ＡＶアンプ２０、ディスプレイ装置４０に自動的に設定を実行させることができる。
【００５７】
図１２に示すように、ＤＶＤプレーヤ１０の制御部１３は、ＣＥＣラインを介して、ＡＶアンプ２０の制御部２５から設定情報（音声モード、音量、画質または映像モード）を受信したか否かを判断している（Ｓ４１）。設定情報を受信した場合（Ｓ４１でＹＥＳ）、制御部１３は、ディスク情報テーブルに、現在挿入されているディスクのディスク特定情報および現在再生中のチャプターに対応付けて、設定情報を登録する。例えば、ディスク１が挿入され、チャプター３を再生しているときに、音声モード５を含む設定情報を受信した場合、ディスク情報テーブルにおけるディスク１およびチャプター３に対応する音声モードに、音声モード５を登録する。従って、ユーザ操作によって、ＤＶＤプレーヤ１０に設定情報を入力する必要なく、ＡＶアンプ２０又はディスプレイ装置４０に設定情報を入力し、設定を実行することにより、自動的にディスク情報テーブルに設定情報を登録することができる。
【００５８】
［別の実施形態２］
本例では、図１３に示すディスク情報テーブルがＤＶＤプレーヤ１０のメモリ１６に格納されている。図１３のディスク情報テーブルは、ディスク特定情報及び再生位置（再生時間又はアドレス等）の範囲である再生位置範囲に対応付けて設定情報が登録される。つまり、同一ディスクであっても再生中の再生位置が変更されると、自動的にＡＶアンプ２０、ディスプレイ装置４０に再生中の再生位置に対応する設定情報を送信し、設定を自動的に変更させることができる。なお、ディスク情報テーブルにおける再生位置情報は、ＤＶＤプレーヤ１０の制御部１３がＴＯＣ情報に含まれる総再生時間を元に自動的に設定してもよく、ユーザ操作によって設定してもよい。
【００５９】
ＤＶＤプレーヤ１０の再生部１１は、ディスクが挿入されるとディスクからディスク情報を読み出して、制御部１３に供給する。図１４に示すように、制御部１３は、ディスク情報を取得し（Ｓ５１）、ディスク情報に含まれるディスク特定情報に基づいてディスクを特定する（Ｓ５２）。制御部１３は、挿入されているディスクのディスク特定情報がディスク情報テーブルに登録されているか否かを判断する（Ｓ５３）。登録されていなければ（Ｓ５３でＮＯ）、処理を終了する。登録されていれば（Ｓ５３でＹＥＳ）、制御部１３は、挿入されているディスクのディスク特定情報およびその最初の再生位置範囲に対応する設定情報をディスク情報テーブルから読み出して、ＡＶアンプ２０の制御部２５にＣＥＣラインを介して送信する（Ｓ５４）。例えば、挿入されたディスクがディスク１である場合、制御部１３は、ディスク１の最初の再生位置範囲（０：００：００−２０：００：００）に対応する音声モード１、映像モード２等を含む設定情報を制御部２５に送信する。
【００６０】
ＡＶアンプ２０の制御部２５およびディスプレイ装置４０の制御部４４は、上記の実施形態と同様に、ＤＶＤプレーヤ１０から設定情報を受信すると、設定情報に基づいて自動的に設定を変更する（図４，図５参照。）。
【００６１】
図１４に示すように、ＤＶＤプレーヤ１０の制御部１３は、最初の再生位置範囲の再生が終了する、又は、ユーザ操作によって再生位置が変更される等の理由で、再生する再生位置が含まれる再生位置範囲が変更されるか否かを判断する（Ｓ５５）。再生位置範囲が変更される場合（Ｓ５５でＹＥＳ）、変更後の再生位置範囲に対応する設定情報をディスク情報テーブルから読み出して、ＡＶアンプ２０の制御部２５にＣＥＣラインを介して送信する（Ｓ５６）。例えば、挿入されたディスクがディスク１であり、再生される再生位置が３０：００：００に変更される場合、再生位置３０：００：００は再生位置範囲２０：００：０１−３５：００：００に含まれているので、制御部１３は、ディスク１の再生位置範囲２０：００：０１−３５：００：００に対応する音声モード２、映像モード４等を含む設定情報を制御部２５に送信する。
【００６２】
ＡＶアンプ２０の制御部２５およびディスプレイ装置４０の制御部４４は、上記の実施形態と同様に、ＤＶＤプレーヤ１０から設定情報を受信すると、設定情報に基づいて自動的に設定を変更する（図４，図５参照。）。このように、ＤＶＤプレーヤ１０で再生される再生位置が変更される毎に、ユーザ操作によって設定情報を入力する必要なく、ＡＶアンプ２０、ディスプレイ装置４０の設定を自動的に変更することができる。
【００６３】
図１５に示すように、ＤＶＤプレーヤ１０の制御部１３は、ＣＥＣラインを介して、ＡＶアンプ２０の制御部２５から設定情報（音声モード、音量、画質または映像モード）を受信したか否かを判断している（Ｓ６１）。設定情報を受信した場合（Ｓ６１でＹＥＳ）、制御部１３は、ディスク情報テーブルに、現在挿入されているディスクのディスク特定情報および現在再生中の再生位置が含まれる再生位置範囲に対応付けて、設定情報を登録する。例えば、ディスク１が挿入され、４５：００：００を再生しているときに、音声モード５を含む設定情報を受信した場合、ディスク情報テーブルにおけるディスク１および再生位置範囲３５：００：００−５５：００：００の音声モードに、音声モード５を登録する。従って、ユーザ操作によってＤＶＤプレーヤ１０に設定情報を入力する必要なく、ＡＶアンプ２０又はディスプレイ装置４０に設定情報を入力することにより、自動的にディスク情報テーブルに設定情報を登録することができる。
【００６４】
以上、本発明の好ましい実施形態を説明したが、本発明はこれらの実施形態には限定されない。例えば、ＤＶＤプレーヤ１０とディスプレイ装置４０とがＨＤＭＩケーブルを介して直接接続される場合には、ＤＶＤプレーヤ１０からディスプレイ装置４０に直接設定情報が送信される。また、設定情報の送受信は、ＨＤＭＩのＣＥＣラインを介して行われるのではなく、他の通信ライン（例えば、ＩＥＥＥ１３９４、ＬＡＮ、ＵＳＢ等）を介して行われてもよい。また、ＤＶＤプレーヤ１０とＡＶアンプ２０とが一体となった機器、又は、ＡＶアンプ２０とディスプレイ装置４０とが一体となった機器が採用されてもよい。コンテンツ再生装置としてＨＤＤビデオレコーダが採用される場合、ディスク情報テーブルには、録画された１つのＴＶ番組毎に設定情報が登録されるとよい。つまり、ディスク情報テーブルにおけるディスク特定情報は必須ではない。また、ＨＤＤレコーダに内蔵されたＨＤＤに記録されているオーディオファイル毎に設定情報が登録される場合、オーディオファイルのＩＤやメタデータに対応付けて設定情報が登録されるとよい。また、ＤＶＤプレーヤ、ＡＶアンプ、ディスプレイ装置の上記動作をコンピュータに実行させるためのプログラムおよびこれを記録した記録媒体という形態で提供されてもよい。また、ＡＶアンプ又はディスプレイ装置の上記動作の一部のみのプログラムを、ＡＶアンプやディスプレイ装置にファームウェアアップデートという形態で提供されてもよい。さらには、ＡＶアンプ又はディスプレイ装置の上記動作の一部のみのプログラムが格納されたＨＤＭＩ送信部、ＨＤＭＩ受信部、システム制御部などの電子部品という形態で提供されてもよい。
【産業上の利用可能性】
【００６５】
本発明は、ＤＶＤプレーヤ、ＡＶアンプおよびディスプレイ装置等に好適に採用され得る。
【図面の簡単な説明】
【００６６】
【図１】本発明の好ましい実施形態によるＤＶＤプレーヤ１０、ＡＶアンプ２０及びディスプレイ装置４０を示すブロック図である。
【図２】ディスク情報テーブルを示す図である。
【図３】ＤＶＤプレーヤ１０の動作を説明するフローチャートである。
【図４】ＡＶアンプ２０の動作を説明するフローチャートである。
【図５】ディスプレイ装置４０の動作を説明するフローチャートである。
【図６】ＡＶアンプ２０の動作を説明するフローチャートである。
【図７】ディスプレイ装置４０の動作を説明するフローチャートである。
【図８】ＡＶアンプ２０の動作を説明するフローチャートである。
【図９】ＤＶＤプレーヤ１０の動作を説明するフローチャートである。
【図１０】ディスク情報テーブルを示す図である。
【図１１】ＤＶＤプレーヤ１０の動作を説明するフローチャートである。
【図１２】ＤＶＤプレーヤ１０の動作を説明するフローチャートである。
【図１３】ディスク情報テーブルを示す図である。
【図１４】ＤＶＤプレーヤ１０の動作を説明するフローチャートである。
【図１５】ＤＶＤプレーヤ１０の動作を説明するフローチャートである。
【符号の説明】
【００６７】
１０            ＤＶＤプレーヤ
２０            ＡＶアンプ
４０            ディスプレイ装置
【図１】
2011030037.tif 000003
【図２】
2011030037.tif 000004
【図３】
2011030037.tif 000005
【図４】
2011030037.tif 000006
【図５】
2011030037.tif 000007
【図６】
2011030037.tif 000008
【図７】
2011030037.tif 000009
【図８】
2011030037.tif 000010
【図９】
2011030037.tif 000011
【図１０】
2011030037.tif 000012
【図１１】
2011030037.tif 000013
【図１２】
2011030037.tif 000014
【図１３】
2011030037.tif 000015
【図１４】
2011030037.tif 000016
【図１５】
2011030037.tif 000017